(57)【要約】本発明は、家電機器のデータアップグレードシステムであって、コンピュータシステムを利用してアップデートされた家電機器のソフトウェアをダウンロードし、ソフトウェアのデータを解釈して表示装置に表示し、検出器を使用して表示装置に表示されるデータを検出して家電機器のソフトウェアをアップグレードすることで、各家電機器とコンピュータシステムとを連結するためのケーブル及び通信ポートを使用しないので、アップデートシステムの構成を単純化し、コンピュータシステムにおけるハードウェアの衝突が発生することを防止する。
2005516309.tif 000002
【特許請求の範囲】
【請求項１】
マイクロコンピュータが内蔵された家電機器と、
インターネットに接続して前記家電機器のマイクロコンピュータをアップデートさせるデータを表示装置に表示するコンピュータシステムと、
前記家電機器と接続され、前記表示装置に表示されたデータを読み込んで前記家電機器に提供する検出器と、
を含むことを特徴とする家電機器のソフトウェアアップグレードシステム。
【請求項２】
前記家電機器は、前記検出器から提供された前記データを解釈するプロトコルを内蔵する、請求項１に記載の家電機器のソフトウェアアップグレードシステム。
【請求項３】
前記コンピュータシステムは、前記表示装置に色相で前記データを表示する、請求項１に記載の家電機器のソフトウェアアップグレードシステム。
【請求項４】
前記色相は、白と黒で、前記表示装置に表示される、請求項３に記載の家電機器のソフトウェアアップグレードシステム。
【請求項５】
前記検出器は、前記表示装置に色相で表示されるデータを読み込む、請求項１に記載の家電機器のソフトウェアアップグレードシステム。
【請求項６】
前記色相は、白と黒で、前記表示装置に表示される、請求項５に記載の家電機器のソフトウェアアップグレードシステム。
【請求項７】
通信ポートを備え、内蔵されたマイクロコンピュータの機能をアップグレードすることができる家電機器と、
インターネットに接続して前記家電機器のアップデートされたデータをダウンロードして前記データを解釈し、表示装置に前記データを白と黒の二つの色相で表示するコンピュータシステムと、
前記家電機器の通信ポートにケーブルを介して連結され、前記コンピュータシステムの表示装置に表示される白黒のデータを検出して前記家電機器に提供する検出器と、
を含むことを特徴とする家電機器のソフトウェアアップグレードシステム。
【請求項８】
前記家電機器は、前記検出器から提供された前記データを解釈するプロトコルを内蔵する、請求項７に記載の家電機器のソフトウェアアップグレードシステム。
【発明の詳細な説明】
【技術分野】
【０００１】
本発明は、家電機器のデータアップグレードシステムに関し、特に、コンピュータシステムの通信ポートを使用することなく、家電機器にアップグレードデータを伝送することができる家電機器のソフトウェアアップグレードシステムに関するものである。
【背景技術】
【０００２】
最近、冷蔵庫などのような家電機器は、インターネットの連結、またはホームネットワークの構成のために通信装置を備える。即ち、家電機器は、コンピュータシステムの通信ポートに連結され、必要なソフトウェアをダウンロードして内蔵されたソフトウェアをアップグレードするか、インターネット検索が可能なように構成される。
【０００３】
以下、従来技術による家電機器の通信装置を、添付の図面を参照して詳しく説明する。
【０００４】
図１は、従来技術による家電機器のソフトウェアアップグレードシステムの構成図である。
【０００５】
図１に示すように、アップグレードシステムは、通信ポートＰＯＲＴ１を備える家電機器１００と、インターネットに連結可能で、家電機器１００の製造会社のホームページに接続して家電機器１００のアップデートされたファイルをダウンロードし、通信ポートＰＯＲＴ２を備えるコンピュータシステム２００と、通信ポートＰＯＲＴ１及び通信ポートＰＯＲＴ２に接続され、家電機器１００とコンピュータシステム２００間のデータ伝送経路の役割を遂行するケーブルＲＳ−２３２Ｃと、から構成される。
【０００６】
以下、このように構成されたアップグレードシステムをより詳しく説明する。
【０００７】
使用者は、家電機器１００のソフトウェアをアップグレードするために、コンピュータシステム２００を操作することで家電機器１００の製造会社のホームページまたはミラーサイトなどに接続し、家電機器１００のモデル名に該当するアップデートファイルをダウンロードする。
【０００８】
このようにダウンロードされたアップデートファイルは、コンピュータシステム２００に備えられた通信ポートＰＯＲＴ２と家電機器１００の通信ポートＰＯＲＴ１とを連結するケーブルＲＳ−２３２Ｃを通して家電機器１００に伝送されることができ、家電機器１００は、そのアップデートファイルを利用してソフトウェアをアップグレードする。
【０００９】
家電機器１００とコンピュータシステム２００とを連結するためには、家電機器１００及びコンピュータシステム２００それぞれに通信ポートを備えなければならず、特に、コンピュータシステム２００は、多数の家電機器を連結するためには、多数の通信ポート及び各家電機器と連結されるケーブルをそれぞれ備えなければならない。
【００１０】
しかしながら、コンピュータシステム２００に多数の通信ポートを設定する場合、他のデバイスと衝突する恐れがあり、多数のケーブルを使用することによりその構成が複雑で、美観を損なうという問題点があった。
【発明の開示】
【００１１】
本発明の目的は、コンピュータシステムに各家電機器と通信を行うための追加の通信ポートを設置することなく、表示装置に表示されるアップデートファイルのデータを検出することで、家電機器のソフトウェアをアップグレードすることができる装置を提供することにある。
【００１２】
また、本発明の他の目的は、各家電機器とコンピュータシステムとを連結するためのＲＳ−２３２Ｃケーブルを使用しないことにより、美観を改善し構成を単純化することができる装置を提供することにある。
【００１３】
このために、本発明に係る家電機器のソフトウェアアップグレードシステムは、マイクロコンピュータが内蔵された家電機器と、インターネットに接続して家電機器のマイクロコンピュータをアップデートさせるデータを表示装置に表示するコンピュータシステムと、家電機器と接続され、表示装置に表示されたデータを読み込んで家電機器に提供する検出器とを含む。
【発明を実施するための最良の形態】
【００１４】
図２は、本発明に係る家電機器のソフトウェアアップグレードシステムの構成図である。
【００１５】
図２に示すように、アップグレードシステムは、通信ポートＰＯＲＴを備える家電機器３００と、インターネットに連結可能で、家電機器３００の製造会社のホームページに接続して家電機器３００のアップデートされたファイルをダウンロードし、ファイルのデータを白と黒の二色で表示装置に表示するコンピュータシステム６００と、表示装置に表示されるアップデートファイルのデータを検出する検出器５００と、検出器５００により検出された結果を家電機器３００の通信ポートＰＯＲＴに印加するケーブル４００とから構成される。
【００１６】
以下、このように構成された本発明をより詳しく説明する。
【００１７】
まず、使用者は、家電機器３００のソフトウェアをアップグレードするために、コンピュータシステム６００を使用して家電機器３００の製造会社のホームページに接続した後、家電機器３００の製造会社のホームページから家電機器３００に該当するアップデートファイルをダウンロードする。
【００１８】
このようにダウンロードされたファイルは、コンピュータシステム６００で解釈されて、白と黒で表示されるデータ表示装置により表示される。即ち、２進のデータを白と黒の二色で解釈して表示する。これは、コンピュータシステム６００にダウンロードされた家電機器のアップデートされたソフトウェアのデータを解釈し、その結果を白と黒の二色で表示できるソフトウェアをセットアップして行うことができる。
【００１９】
その後、使用者は、前述したようにアップデートファイルのデータがコンピュータシステム６００の表示装置に表示されている状態で、家電機器３００の通信ポートＰＯＲＴに一側が接続されるケーブル４００の他側端部に位置する検出器５００を表示装置の画面に付着させる。このように、検出器５００が表示装置に付着されると、検出器５００は、表示装置に表示されているアップデートファイルのデータを検出し、それに該当する電気的信号を発生する。
【００２０】
その後、コンピュータシステム６００の表示装置に白と黒の二色で表示されるアップデートファイルのデータを認識して家電機器３００に伝送すると、信号を解釈できるプロトコルが内蔵された家電機器３００は、検出器５００を通して印加されるアップデートファイルのデータを解釈してソフトウェアをアップグレードする。
【００２１】
このように、本発明に係るアップグレード装置は、コンピュータシステム６００に各家電機器３００と通信を行うための別途の通信ポートを設置することなく、表示装置に表示されるアップデートファイルのデータを検出して、家電機器３００のソフトウェアをアップグレードすることができる。
【００２２】
また、各家電機器３００とコンピュータシステム６００とを連結するためのＲＳ−２３２Ｃケーブルを使用しないことにより、美観を改善し本発明の構成を単純化することができる。
【産業上の利用可能性】
【００２３】
本発明に係る家電機器のソフトウェアアップグレードシステムは、コンピュータシステムを利用してアップデートされた家電機器のソフトウェアをダウンロードし、ソフトウェアのデータを白と黒で解釈して表示装置に表示し、検出器を使用して表示装置に表示されるデータを検出して家電機器のソフトウェアをアップグレードすることで、各家電機器とコンピュータシステムとを連結するためのケーブル及び通信ポートを使用しないので、アップデートシステムの構成を単純化し、コンピュータシステムにおけるハードウェアの衝突が発生することを防止するという効果がある。
【図面の簡単な説明】
【００２４】
【図１】図１は、従来技術による家電機器のソフトウェアアップグレードシステムの構成図。
【図２】図２は、本発明に係る家電機器のソフトウェアアップグレードシステムの構成図。
【図１】
2005516309.tif 000003
【図２】
2005516309.tif 000004
【国際調査報告】
2005516309.tif 000005